(57)【要約】【課題】タッチパネルに基づく要素削除方法及び装置を開示する。【解決手段】該方法は、ユーザーのタッチパネルでの接触プロセスを検出するステップ（Ｓ１０２）と、前記接触プロセスが終了した後、ユーザーのタッチパネルでの接触プロセスにおけるスライド軌跡を取得するステップ（Ｓ１０４）と、前記スライド軌跡が通過したスクリーン表示要素を確定するステップ（Ｓ１０６）と、前記スクリーン表示要素を削除するステップ（Ｓ１０８）と、を含む。本発明は、関連技術での削除動作の効率が低く、ユーザーエクスペリエンスが悪いという問題を解決し、ターミナルのユーザーエクスペリエンスの向上に寄与する。
2017515241.tif 000002
【特許請求の範囲】
【請求項１】
タッチパネルに基づく要素削除方法であって、前記方法は、
ユーザーのタッチパネルでの接触プロセスを検出するステップと、
前記接触プロセスが終了した後、ユーザーのタッチパネルでの接触プロセスにおけるスライド軌跡を取得するステップと、
前記スライド軌跡が通過したスクリーン表示要素を確定するステップと、
前記スクリーン表示要素を削除するステップと、を含むタッチパネルに基づく要素削除方法。
【請求項２】
前記スライド軌跡が通過したスクリーン表示要素を確定することは、
各スクリーン表示要素が前記スライド軌跡により被覆される回数を検出するステップと、
１回被覆されると該スクリーン表示要素が削除しようとする要素であると確定するステップと、
２回以上被覆されると該スクリーン表示要素が削除しようとする要素ではないと確定するステップと、を含む請求項１に記載の方法。
【請求項３】
前記スライド軌跡は、
ユーザーが前記タッチパネル上でスライドする座標変化軌跡、及び／又は、
前記タッチパネルの表示コンテンツの連続リフレッシュによる表示コンテンツと前記タッチパネル接触点との相対運動で生じたスライド軌跡である請求項１又は２に記載の方法。
【請求項４】
前記接触プロセスは、前記タッチパネルにおけるスクリーン長押し、物理キーによるアクティベーション、ソフトウェアボタンによるアクティベーション、ジェスチャーによるアクティベーション、センサによるアクティベーションのうちの少なくとも１つによりアクティベーションされる請求項１に記載の方法。
【請求項５】
前記スクリーン表示要素は、アイコン、ファイル、文字、コントロール、情報、連絡先エントリー、メールエントリーのうちの少なくとも１つを含む請求項１又は２に記載の方法。
【請求項６】
タッチパネルに基づく要素削除装置であって、前記装置は、
ユーザーのタッチパネルでの接触プロセスを検出する検出モジュールと、
前記接触プロセスが終了した後、ユーザーのタッチパネルでの接触プロセスにおけるスライド軌跡を取得する軌跡取得モジュールと、
前記スライド軌跡が通過したスクリーン表示要素を確定する要素確定モジュールと、
前記スクリーン表示要素を削除する要素削除モジュールと、を備えるタッチパネルに基づく要素削除装置。
【請求項７】
前記要素確定モジュールは、
各スクリーン表示要素が前記スライド軌跡により被覆される回数を検出する検出ユニットと、
１回被覆されると該スクリーン表示要素が削除しようとする要素であると確定し、２回以上被覆されると該スクリーン表示要素が削除しようとする要素ではないと確定する第１処理ユニットと、を備える請求項６に記載の装置。
【請求項８】
前記スライド軌跡は、
ユーザーが前記タッチパネル上でスライドする座標変化軌跡、及び／又は、
前記タッチパネルの表示コンテンツの連続リフレッシュによる表示コンテンツと前記タッチパネル接触点との相対運動で生じたスライド軌跡である請求項６又は７に記載の装置。
【請求項９】
前記接触プロセスは、前記タッチパネルにおけるスクリーン長押し、物理キーによるアクティベーション、ソフトウェアボタンによるアクティベーション、ジェスチャーによるアクティベーション、センサによるアクティベーションのうちの少なくとも１つによりアクティベーションされる請求項６に記載の装置。
【請求項１０】
前記スクリーン表示要素は、アイコン、ファイル、文字、コントロール、情報、連絡先エントリー、メールエントリーのうちの少なくとも１つを含む請求項６又は７に記載の装置。
【発明の詳細な説明】
【技術分野】
【０００１】
本発明は、移動体通信の分野に関し、特にタッチパネルに基づく要素削除方法及び装置に関する。
【背景技術】
【０００２】
インテリジェントターミナルの増加につれて、ターミナルのデスクトップの簡潔さと編集機能の利便性がますます重要になり、ユーザーエクスペリエンスの効果を直接左右し、更にユーザーのブランドの認知度及びブランドの忠誠心を左右する。ターミナルデバイス用の従来の削除方法はクリック、全選択して確定し又は削除しようとする要素を特定の領域にドラッグすることにより行われ、ある程度で削除動作の簡潔さを損なってしまう。
【０００３】
関連技術では、インテリジェントターミナルの要素削除動作は、ほとんど図形と文字に対して実行され、たとえば、タッチパネルを２回クリックして開始点と終了点を取得し、テキスト中の開始点と終了点との間にある文字を検出して削除し、又は、画像処理ソフトウェアの消しゴム機能のように、図形と画像の領域を消去する。
【０００４】
これらの技術は、ある程度でテキストと図形画像編集の方法を豊富にしているが、利便性や精度の点では足りないところがある。
【０００５】
関連技術での削除動作の効率が低く、ユーザーエクスペリエンスが悪いという問題に対して、現在、効果的な解決手段が提案されていない。
【発明の概要】
【発明が解決しようとする課題】
【０００６】
本発明の実施例はタッチパネルに基づく要素削除方法及び装置を提供し、それによって少なくとも関連技術での削除動作の効率が低く、ユーザーエクスペリエンスが悪いという問題を解決する。
【課題を解決するための手段】
【０００７】
本発明の一実施例によれば、本発明はタッチパネルに基づく要素削除方法を提供し、該方法は、ユーザーのタッチパネルでの接触プロセスを検出するステップと、前記接触プロセスが終了した後、ユーザーのタッチパネルでの接触プロセスにおけるスライド軌跡を取得するステップと、前記スライド軌跡が通過したスクリーン表示要素を確定するステップと、前記スクリーン表示要素を削除するステップと、を含む。
【０００８】
前記スライド軌跡が通過したスクリーン表示要素を確定することは、各スクリーン表示要素が前記スライド軌跡により被覆される回数を検出するステップと、１回被覆されると該スクリーン表示要素が削除しようとする要素であると確定するステップと、２回以上被覆されると該スクリーン表示要素が削除しようとする要素ではないと確定するステップと、を含む。
【０００９】
前記スライド軌跡は、ユーザーが前記タッチパネル上でスライドする座標変化軌跡、及び／又は、前記タッチパネルの表示コンテンツの連続リフレッシュによる表示コンテンツと前記タッチパネル接触点との相対運動で生じたスライド軌跡である。
【００１０】
前記接触プロセスは、前記タッチパネルにおけるスクリーン長押し、物理キーによるアクティベーション、ソフトウェアボタンによるアクティベーション、ジェスチャーによるアクティベーション、センサによるアクティベーションのうちの少なくとも１つによりアクティベーションされる。
【００１１】
前記スクリーン表示要素は、アイコン、ファイル、文字、コントロール、情報、連絡先エントリー、メールエントリーのうちの少なくとも１つを含む。
【００１２】
本発明の別の実施例によれば、本発明はさらにタッチパネルに基づく要素削除装置を提供し、該装置は、ユーザーのタッチパネルでの接触プロセスを検出する検出モジュールと、前記接触プロセスが終了した後、ユーザーのタッチパネルでの接触プロセスにおけるスライド軌跡を取得する軌跡取得モジュールと、前記スライド軌跡が通過したスクリーン表示要素を確定する要素確定モジュールと、前記スクリーン表示要素を削除する要素削除モジュールと、を備える。
【００１３】
前記要素確定モジュールは、各スクリーン表示要素が前記スライド軌跡により被覆される回数を検出する検出ユニットと、１回被覆されると該スクリーン表示要素が削除しようとする要素であると確定し、２回以上被覆されると該スクリーン表示要素が削除しようとする要素ではないと確定する第１処理ユニットと、を備える。
【００１４】
前記スライド軌跡は、ユーザーが前記タッチパネル上でスライドする座標変化軌跡、及び／又は、前記タッチパネルの表示コンテンツの連続リフレッシュによる表示コンテンツと前記タッチパネル接触点との相対運動で生じたスライド軌跡である。
【００１５】
前記接触プロセスは、前記タッチパネルにおけるスクリーン長押し、物理キーによるアクティベーション、ソフトウェアボタンによるアクティベーション、ジェスチャーによるアクティベーション、センサによるアクティベーションのうちの少なくとも１つによりアクティベーションされる。
【００１６】
前記スクリーン表示要素は、アイコン、ファイル、文字、コントロール、情報、連絡先エントリー、メールエントリーのうちの少なくとも１つを含む。
【発明の効果】
【００１７】
以上のように、本発明の実施例は便利で、迅速なタッチパネルに基づく要素削除方法及び装置を提供し、インテリジェントターミナル用の従来の削除方法に比べて、動作効率を大幅に向上させ、ターミナルのユーザーエクスペリエンスの向上に寄与する。関連技術での削除動作の効率が低く、ユーザーエクスペリエンスが悪いという問題を解決し、また、タッチパネルを備えたインテリジェントターミナル及びほかの表示装置に幅広く適用でき、普及の将来性と実用性が高い。
【００１８】
以上、本発明の技術的解決手段の概要のみを説明しており、本発明の技術的手段を明確に把握して明細書に従って実施でき、且つ本発明の上記及びほかの目的、特徴及び利点をわかりやすくするために、以下、本発明の具体的な実施の形態を挙げて説明する。
【図面の簡単な説明】
【００１９】
【図１】本発明の実施例に係るタッチパネルに基づく要素削除方法のフローチャートである。
【図２】本発明の実施例に係るインテリジェントターミナルにおけるドキュメントエントリーの削除動作の模式図である。
【図３】本発明の実施例に係る要素削除装置の構成ブロック図である。
【図４】本発明の実施例に係る要素削除装置の模式図である。
【図５】本発明の実施例に係るインテリジェントターミナルにおける連絡先エントリーの削除動作の模式図である。
【図６】本発明の実施例に係るインテリジェントターミナルにおけるデスクトップのアイコンの削除動作の模式図である。
【図７】本発明の実施例に係るインテリジェントターミナルにおけるデスクトップのアイコンの別の削除動作の模式図である。
【図８】本発明の実施例に係るインテリジェントターミナルにおけるデスクトップのアイコンの二次確定削除動作の模式図である。
【発明を実施するための形態】
【００２０】
従来技術での削除動作の効率が低く、ユーザーエクスペリエンスが悪いという問題を解決するために、本発明はタッチパネルに基づく要素削除方法及び装置を提供し、以下、図面及び実施例を参照しながら、本発明を更に詳細に説明する。なお、ここで説明される具体的な実施例は本発明を解釈するものに過ぎず、本発明を限定するものではない。
【００２１】
本実施例はタッチパネルに基づく要素削除方法を提供し、該方法はターミナル側で実現される。図１は本発明の実施例に係るタッチパネルに基づく要素削除方法のフローチャートであり、図１に示すように、該方法は以下のステップ（ステップＳ１０２−ステップＳ１０８）を含む：
【００２２】
ステップＳ１０２：ユーザーのタッチパネルでの接触プロセスを検出する。
【００２３】
ステップＳ１０４：接触プロセスが終了した後、ユーザーのタッチパネルでの接触プロセスにおけるスライド軌跡を取得する。
【００２４】
ステップＳ１０６：スライド軌跡が通過したスクリーン表示要素を確定する。
【００２５】
ステップＳ１０８：スクリーン表示要素を削除する。
【００２６】
本実施例は、便利で、迅速なタッチパネルに基づく要素削除方法を提供し、インテリジェントターミナル用の従来の削除方法に比べて、動作効率を大幅に向上させ、ターミナルのユーザーエクスペリエンスの向上に寄与する。関連技術での削除動作の効率が低く、ユーザーエクスペリエンスが悪いという問題を解決し、また、タッチパネルを備えたインテリジェントターミナル及びほかの表示装置に幅広く適用でき、普及の将来性と実用性が高い。
【００２７】
本方法において、削除される要素はスクリーン表示要素であり、スクリーンに表示されるアイコン、ファイル、文字、コントロール、及びほかの表示エントリー、例えば連絡先エントリー、情報やメールエントリーを含むが、それらに限定されない。それにより、本実施例は好ましい実施の形態を提供し、すなわち、スクリーン表示要素は、アイコン、ファイル、文字、コントロール、情報、連絡先エントリー、メールエントリーのうちの少なくとも１つを含む。
【００２８】
本方法において、スライド軌跡はタッチパネルにおける接触座標の変化であってもよく、接触座標が変化せず、表示コンテンツの連続リフレッシュによる表示コンテンツとタッチパネル接触点との相対運動で生じたスライド軌跡であってもよい。それにより、本実施例は好ましい実施の形態を提供し、すなわちスライド軌跡は、ユーザーがタッチパネル上でスライドする座標変化軌跡、及び／又は、タッチパネルにおける表示コンテンツの連続リフレッシュによる表示コンテンツとタッチパネル接触点との相対運動で生じたスライド軌跡である。
【００２９】
本方法は、タッチ終了前、スライド軌跡が通過した選択要素を二次確定し、スライド軌跡終了後、軌跡が該要素を複数回通過した場合、要素を削除しないこととなり、さもないと、要素を削除する。それにより、本実施例は好ましい実施の形態を提供し、すなわち、スライド軌跡が通過したスクリーン表示要素を確定することは、各スクリーン表示要素がスライド軌跡により被覆される回数を検出するステップと、１回被覆されると該スクリーン表示要素が削除しようとする要素であると確定するステップと、２回以上被覆されると該スクリーン表示要素が削除しようとする要素ではないと確定するステップと、を含む。
【００３０】
本実施例において、要素削除動作は、スクリーン長押し、物理キーによるアクティベーション、ソフトウェアボタンによるアクティベーション、ジェスチャー又はセンサによるアクティベーションのような所定の装置又は方法によりアクティベーションすることができる。それにより、本実施例は好ましい実施の形態を提供し、すなわち、本実施例での接触プロセスは、タッチパネルにおけるスクリーン長押し、物理キーによるアクティベーション、ソフトウェアボタンによるアクティベーション、ジェスチャーによるアクティベーション、センサによるアクティベーションのうちの少なくとも１つによりアクティベーションされる。このように、ユーザーのタッチパネル上でのスライド動作が正常使用状態であるか要素削除状態であるかを区別でき、更にユーザーエクスペリエンスの向上に寄与する。
【００３１】
本発明の実施プロセスについて、以下では、インテリジェントターミナルにおけるドキュメントエントリーの削除方法を例として説明する。図２は本発明の実施例に係るインテリジェントターミナルにおけるドキュメントエントリーの削除動作の模式図であり、図２に示すように、以下のステップを含む。
【００３２】
ステップ１：ユーザーとタッチパネルとの接触を検出する。
【００３３】
ステップ２：タッチパネルとの接触が終了すると、検出が終了する。
【００３４】
ステップ３：タッチパネル接触プロセスのスライド軌跡を記録する。
【００３５】
ステップ４：スライド軌跡に基づき、スライド軌跡が通過したスクリーン表示要素、例えば図１に示されるドキュメント１、ドキュメント１、ドキュメント２を検出する。
【００３６】
ステップ５：上記スクリーニングした表示要素を削除する。削除動作の実行後、タッチパネルに表示されているのはドキュメント３、ドキュメント４、ドキュメント５のみが残される。
【００３７】
上記実施例に係るタッチパネルに基づく要素削除方法に対応して、本実施例はタッチパネルに基づく要素削除装置を提供し、該装置はターミナル側に設置され、それによって上記実施例を実現する。図３は本発明の実施例に係るタッチパネルに基づく要素削除装置の構成ブロック図であり、図３に示すように、該装置は検出モジュール１０、軌跡取得モジュール２０、要素確定モジュール３０及び要素削除モジュール４０を備える。以下、該構造を詳細に説明する。
【００３８】
検出モジュール１０は、ユーザーのタッチパネルでの接触プロセスを検出する。
軌跡取得モジュール２０は、接触プロセスが終了した後、ユーザーのタッチパネルでの接触プロセスにおけるスライド軌跡を取得する。
要素確定モジュール３０は、スライド軌跡が通過したスクリーン表示要素を確定する。
要素削除モジュール４０は、スクリーン表示要素を削除する。
【００３９】
本実施例は便利で、迅速なタッチパネルに基づく要素削除装置を提供し、インテリジェントターミナル用の従来の削除装置に比べて、動作効率を大幅に向上させ、ターミナルのユーザーエクスペリエンスの向上に寄与する。関連技術での削除動作の効率が低く、ユーザーエクスペリエンスが悪いという問題を解決し、また、タッチパネルを備えたインテリジェントターミナル及びほかの表示装置に幅広く適用でき、普及の将来性と実用性が高い。
【００４０】
好ましいのは、要素確定モジュール３０は、各スクリーン表示要素がスライド軌跡により被覆される回数を検出する検出ユニットと、１回被覆されると該スクリーン表示要素が削除しようとする要素であると確定し、２回以上被覆されると該スクリーン表示要素が削除しようとする要素ではないと確定する第１処理ユニットと、を備える。
【００４１】
本実施例では、スライド軌跡は、ユーザーがタッチパネルでスライドする座標変化軌跡、及び／又は、タッチパネルにおける表示コンテンツの連続リフレッシュによる表示コンテンツとタッチパネル接触点との相対運動で生じたスライド軌跡である。スクリーン表示要素は、アイコン、ファイル、文字、コントロール、情報、連絡先エントリー、メールエントリーのうちの少なくとも１つを含む。
【００４２】
本実施例では、接触プロセスは、タッチパネルにおけるスクリーン長押し、物理キーによるアクティベーション、ソフトウェアボタンによるアクティベーション、ジェスチャーによるアクティベーション、センサによるアクティベーションのうちの少なくとも１つによりアクティベーションされる。
【００４３】
上記装置に基づき、本実施例はさらに要素削除装置を提供し、図４に示される要素削除装置の模式図のように、該装置は表示装置及び要素削除装置を備える。
【００４４】
表示装置は、
タッチパネルにおけるスクリーン表示要素を表示する表示モジュールと、
ユーザーのタッチ動作を受理するタッチモジュールと、を備える。
【００４５】
要素削除装置は、
タッチパネルの接触を検出して今回の接触のタッチパネルにおけるスライド軌跡を記録する検出モジュールと、
検出モジュールにより取得したスライド軌跡情報及びスクリーン表示要素の位置、形状、視認エリア等のパラメータに基づき、スライド軌跡が通過したスクリーン表示要素（コントロール、アイコン、エントリー、ドキュメント、文字等）を判断し、所定の判別ルールに従って、軌跡が通過したスクリーン要素から削除しようとする要素と保留要素をスクリーニングするデータ処理モジュールと、
データ処理モジュールによる分析結果中の削除しようとする要素を削除する実行モジュールと、を備える。
【００４６】
以上のように、本発明の技術案は、タッチパネルを備えたインテリジェントターミナル及びほかの表示装置に幅広く適用でき、削除動作の効率を大幅に向上させ、ユーザーエクスペリエンスを向上させ、普及の将来性と実用性が高い。
【００４７】
以下、具体的な実施例を参照して本発明の技術案を説明する。
【００４８】
実施例１
【００４９】
本実施例は図５を例として、本発明のタッチ装置において連絡先エントリーを削除する方法を説明する。図５は本発明の実施例に係るインテリジェントターミナルにおける連絡先エントリーの削除動作の模式図であり、図５に示すように、該プロセスは以下のステップを含む：
【００５０】
ステップ１：タッチパネルの初回接触を取得して今回のタッチのスライド軌跡の記録を開始する。
【００５１】
ステップ２：スクリーン上でスライドし、スライド軌跡が削除しようとする連絡先エントリーを通過し、スライド軌跡が連絡先エントリーのアイコン、情報又は該連絡先エントリーのほかの指示コントロールを通過してもよい。
【００５２】
ステップ３：タッチパネルの今回の接触が終了し、検出モジュールをトリガーしてスライド軌跡情報をデータ処理モジュールに伝送して処理し、又はデータ処理モジュールが検出モジュールからスライド軌跡情報を能動的に取得する。
【００５３】
ステップ４：データ処理モジュールが取得した軌跡情報及び連絡先の位置情報に基づき演算し、どれらのデスクトップのアイコンを削除するべきことを判定する。
【００５４】
ステップ５：実行モジュールがデータ処理モジュールの演算結果に基づき削除動作を実行する。
【００５５】
ステップ６：表示をリフレッシュする。
【００５６】
削除しようとするエントリーがスクリーンの現在の表示領域を超える場合、エントリー表示領域におけるタッチ滞留により表示をリフレッシュし、且つ軌跡が通過したエントリーを拡張するようにしてもよい。例えば、現在の表示領域に１０個の連絡先情報しか表示できないとすると、削除しようとする連絡先の一部がスクリーンをスライドして表示する必要がある場合、スライド軌跡が中断することなく、スライドプロセスでタッチパネルの表示領域の下方で滞留すると、スクリーンが次の連絡先を逐一リフレッシュ表示し、この場合に、本発明で言及されたスライド軌跡は、元のスライドプロセスで生じた軌跡及びタッチパネル接触点と表示コンテンツとの相対運動で生じた軌跡の集合を保留する。
【００５７】
実施例２
【００５８】
本実施例はデスクトップのアイコンを例として、本発明のタッチ装置用のデスクトップのアイコン要素の削除方法を説明する。図６は本発明の実施例に係るインテリジェントターミナルにおけるデスクトップのアイコンの削除動作の模式図であり、図６に示すように、該プロセスは以下のステップを含む：
【００５９】
ステップ１：タッチパネルの初回接触を取得して今回のタッチのスライド軌跡の記録を開始する。
【００６０】
ステップ２：スクリーン上でスライドし、スライド軌跡が削除しようとするデスクトップのアイコンを通過する。
【００６１】
ステップ３：タッチパネルの今回の接触が終了し、検出モジュールをトリガーしてスライド軌跡情報をデータ処理モジュールに伝送して処理し、又はデータ処理モジュールが検出モジュールからスライド軌跡情報を能動的に取得する。
【００６２】
ステップ４：データ処理モジュールが取得した軌跡情報及びデスクトップのアイコンの位置情報に基づき演算し、どれらのデスクトップのアイコンを削除するべきことを判定する。
【００６３】
ステップ５：実行モジュールがデータ処理モジュールの演算結果に基づき削除動作を実行する。
【００６４】
ステップ６：表示をリフレッシュする。
【００６５】
図７は本発明の実施例に係るインテリジェントターミナルにおけるデスクトップのアイコンの別の削除動作の模式図であり、図７の削除動作のプロセスは、スライド軌跡が異なる以外、図６と同様である。
【００６６】
実施例３
【００６７】
本実施例はデスクトップのアイコンを例とし、本発明のタッチ装置においてデスクトップのアイコンを二次確定して削除する要素削除方法を説明する。図８は本発明の実施例に係るインテリジェントターミナルにおけるデスクトップのアイコンの二次確定削除動作の模式図であり、図８に示すように、該プロセスは以下のステップを含む：
【００６８】
ステップ１：タッチパネルの初回接触を取得して今回のタッチのスライド軌跡の記録を開始する。
【００６９】
ステップ２：スクリーン上でスライドし、スライド軌跡が削除しようとするデスクトップのアイコンを通過する。
【００７０】
ステップ３：タッチ終了前、スライド軌跡がステップ２で誤操作によって通過したアイコンを再び通過する。
【００７１】
ステップ４：タッチパネルの今回の接触が終了し、検出モジュールをトリガーしてスライド軌跡情報をデータ処理モジュールに伝送して処理し、又はデータ処理モジュールが検出モジュールからスライド軌跡情報を能動的に取得する。
【００７２】
ステップ５：データ処理モジュールが取得した軌跡情報及びデスクトップのアイコンの位置情報に基づき演算し、スライド軌跡が１回通過したデスクトップのアイコンを削除するべきと判定する。
【００７３】
ステップ６：実行モジュールがデータ処理モジュールの演算結果に基づき削除動作を実行する。
【００７４】
ステップ７：表示をリフレッシュする。
【００７５】
以上のように、本発明は便利で、迅速なタッチパネルに基づく要素削除方法及び装置を提供し、インテリジェントターミナル用の従来の削除方法に比べて、動作効率を大幅に向上させ、ターミナルのユーザーエクスペリエンスの向上に寄与する。関連技術での削除動作の効率が低く、ユーザーエクスペリエンスが悪いという問題を解決し、また、タッチパネルを備えたインテリジェントターミナル及びほかの表示装置に幅広く適用でき、普及の将来性と実用性が高い。
【００７６】
例示の目的のため、本発明の好ましい実施例を開示したが、当業者は様々な改良、追加や置換を行うことができることを理解すべきであり、従って、本発明の範囲は上記実施例に限定されるものではない。
【産業上の利用可能性】
【００７７】
以上のように、本発明の実施例に係るタッチパネルに基づく要素削除方法及び装置は、タッチパネルを備えたインテリジェントターミナル及びほかの表示装置に幅広く適用でき、普及の将来性と実用性が高いという有益な効果を有する。
【図１】
2017515241.tif 000003
【図２】
2017515241.tif 000004
【図３】
2017515241.tif 000005
【図４】
2017515241.tif 000006
【図５】
2017515241.tif 000007
【図６】
2017515241.tif 000008
【図７】
2017515241.tif 000009
【図８】
2017515241.tif 000010
【国際調査報告】
2017515241.tif 000011
2017515241.tif 000012
2017515241.tif 000013
2017515241.tif 000014